(57)【要約】【課題】  検査中に中断、再開、及び中断前後の検査の関連性を意識する必要なしで好適な操作、結果参照が可能な検査管理システム等を提供すること。【解決手段】  イベント処理部２８５は、判定された検査形態と受信したトリガイベントとに対応する記憶部２８３のイベント処理ルールに従って、検査の中断処理又は終了処理、外部システムへの状況送信等の動作を行う。これにより、操作者は検査中において中断、再開を意識する必要なく、検査作業を行うことができる。また、時間的な中断を挟み、複数の項目に分けて実施される中断検査であっても、検査結果参照や検査表等において、一つの検査として管理することができる。【選択図】      図３
2006167288.tif 000002
【特許請求の範囲】
【請求項１】
検査における各処理及びその流れを示す検査ワークフローに従って、複数の処理を含む所定検査の各処理を時系列的に実行する検査装置を管理する検査管理システムであって、
前記所定検査が、検査ワークフローの実行を一時的に中断する中断処理を含む中断検査、又は検査ワークフローの実行において前記中断処理を含まない通常検査のいずれに該当するかを判定するための情報を含む検査情報を入力する入力手段と、
入力された前記検査情報に基づいて、前記所定検査が前記中断検査又は前記通常検査のいずれに該当するかを示す検査形態を判定する判定手段と、
検査形態、トリガイベント、トリガイベントが発生した場合に実行すべき処理を対応付けて定義する少なくとも一つのイベント処理ルールを記憶する記憶手段と、
前記検査装置において発生するトリガイベントを受け付けるイベント受付手段と、
記憶された前記イベント処理ルールに基づいて、受け付けられた前記トリガイベントと判定された前記検査形態とに対応する前記処理を、当該受け付けられた前記トリガイベントに応答して実行する実行手段と、
を具備することを特徴とする検査管理システム。
【請求項２】
前記記憶手段は、
前記トリガイベントが、前記検査形態が前記中断検査又は前記通常検査のいずれであっても、当該所定検査を次の検査に移行するための操作であり、
トリガイベントが発生した場合に実行すべき前記処理が、
前記検査形態が前記中断検査である場合には、検査ワークフローの実行を一時的に中断する中断処理、又は検査ワークフローの実行を完全に終了する終了処理であり、
前記検査形態が前記通常検査である場合には、検査ワークフローの実行を完全に終了する終了処理である前記イベント処理ルールを記憶すること、
を特徴とする請求項１記載の検査管理システム。
【請求項３】
前記記憶手段は、
前記トリガイベントが、検査ワークフローの実行を一時的に中断するための操作であり、
トリガイベントが発生した場合に実行すべき前記処理が、検査ワークフローの実行を一時的に中断する中断処理である前記イベント処理ルールを記憶すること、
を特徴とする請求項１又は２記載の検査管理システム。
【請求項４】
前記記憶手段は、
前記トリガイベントが、前記検査形態が前記中断検査又は前記通常検査のいずれであっても、当該所定検査を再開又は開始するための操作であり、
トリガイベントが発生した場合に実行すべき前記処理が、
前記検査形態が前記中断検査又は前記通常検査のいずれであっても、一時的に中断していた検査ワークフローの実行を再開させる再開処理である前記イベント処理ルールを記憶すること、
を特徴とする請求項１乃至３のうちいずれか一項記載の検査管理システム。
【請求項５】
前記記憶手段は、
前記トリガイベントが、前記検査形態が前記中断検査又は前記通常検査のいずれであっても、当該所定検査を次の検査に移行するための操作、又は検査ワークフローの実行を一時的に中断するための操作であり、
トリガイベントが発生した場合に実行すべき前記処理が、
前記検査形態が前記中断検査又は前記通常検査のいずれであっても、外部システムに検査に関する情報を送信するための送信処理である前記イベント処理ルールを記憶すること、
を特徴とする請求項１乃至４のうちいずれか一項記載の検査管理システム。
【請求項６】
前記判定手段が検査形態を中断検査と判定した場合には、
当該所定検査につき、中断処理の前後に関する複数の検査結果を、一つの検査結果として生成する検査結果生成手段と、
生成された前記検査結果を出力する出力手段と、
をさらに具備することを特徴とする請求項１乃至５のうちいずれか一項記載の検査管理システム。
【請求項７】
ネットワークを介して、外部システムと前記検査情報を送受信する送受信手段をさらに具備し、
前記入力手段は、前記送受信手段を介して前記検査情報を入力すること、
を特徴とする請求項１乃至６のうちいずれか一項記載の検査管理システム。
【発明の詳細な説明】
【技術分野】
【０００１】
本発明は、検査における各処理及びその流れを示す検査ワークフローに従って、複数の処理を含む所定検査の各処理を時系列的に実行する検査装置を管理する検査管理システムに関する。
【背景技術】
【０００２】
医用画像の撮影を目的とした検査には、種々のものが存在する。検査によっては、時間的な中断を要しない検査（通常検査）もあれば、１つの検査において時間的な中断を挟み、複数回の項目に分けて実施される検査（中断検査）もある。中断検査の典型例としては、超音波診断装置を使用したストレス検査を挙げることができる。この検査は、人為的に負荷を与える前後の心臓の状態を撮影し、安静時には発現しない心臓の疾患、例えば狭心症を診断することを目的とするものであり、例えば、負荷を与えない状態での１回目の検査（無負荷検査）を行い、その後に一定の時間間隔をあけて、心臓に負荷を与えた状態での２回目の検査（過負荷検査）を行う（なお、無負荷検査は午前に、過負荷検査は午後に行われるのが一般的である）。
【０００３】
図１２は、医用画像機器を使用した通常検査又は中断検査における、従来の操作者の作業の流れ（ワークフロー）を示した図である。同図に示すように、操作者は、検査開始時に操作パネルの「次検査」ボタンを押すことにより、次の新しい検査の実施を始める（ステップＣ１）。次に、検査が終了してさらに次の検査に移行する場合、当該検査を中断させる中断処理として次検査に移行するのか、或いは当該検査を完全に終了させる終了処理として次検査に移行するのかを、例えば検査種別に応じて判定し（ステップＣ２）、「次検査」ボタンあるいは「中断」ボタンを押す（ステップＳ３、Ｓ３’）。例えば、当該検査が中断検査である場合、中断ボタンが操作されると、検査が中断される。また、これに応答して、検査の実施情報の送信を行うかどうかを指定するGUI画面が表示され（ステップＣ４）、当該画面から検査実施情報の送信の要否が入力される（ステップＳ５）。この入力が終了すると、次検査の情報が画面表示される。一方、当該検査が通常検査である場合には、「次検査」ボタンにより検査を終了することで、次検査の情報が画面に表示される（ステップＳ６）。
【０００４】
図１２のワークフローをストレスエコー検査に当てはめると、ステップＣ１において実施される検査が無負荷検査の場合には、後に過負荷検査を行うので、「中断」ボタンにより検査を中断することとなる。一方、ステップＣ１において実施される検査が過負荷検査の場合には、当該患者についての検査は終了するため、「次検査」ボタンにより当該ストレスエコー検査を終了し、他の新しい検査に移行することになる。
【０００５】
このように、操作者は、検査の種別によって、「中断」操作を行うのか、「次検査」操作を行うのかを判断し、また、「中断」操作を行う場合には、さらに検査実施情報送信要否の判断等を行う。操作者は、各判断結果に応じて所定のボタンを人為的に操作することで、検査の状況判断を誤認しないようにしている。
【０００６】
しかしながら、上記例に代表される従来の検査においては、次のような問題がある。すなわち、従来の医用画像機器等の装置では、検査中においては、使用者自身が検査の中断、再開を意識して操作しなければならない。特に、次の検査に移行する場合には、今まで実施していた検査を中断させるのか終了させるのかを検査種別をもとに操作者が判断し、中断させる場合には中断ボタンの押下げをし、終了させる場合には終了ボタンの押下げをするというように、判断結果により異なった動作を取らなければならない。また、検査終了後の結果参照においては、中断前検査、中断後検査が別個に表示されるため（例えば、ストレスエコー検査の場合、無負荷検査と過負荷検査とが別の項目として表示されるため）、使用者が意識的に各検査の関連を判断しなければならない。このような操作や判断を必要とする操作は、煩雑であるだけでなく、誤操作の要因にもなる。
【０００７】
なお、本願に関連する公知文献として、例えば次のようなものがある。
【特許文献１】特開２００３−７９６２７号公報
【発明の開示】
【発明が解決しようとする課題】
【０００８】
本発明は、上記事情を鑑みてなされたもので、操作者が検査中において中断、再開を意識する必要なく、また、検査後の結果参照において、中断前後の検査の関連性を意識する必要なしで好適な操作、結果参照が可能な検査管理システムを提供することを目的としている。
【課題を解決するための手段】
【０００９】
本発明は、上記目的を達成するため、次のような手段を講じている。
【００１０】
本発明の第１の視点は、検査における各処理及びその流れを示す検査ワークフローに従って、複数の処理を含む所定検査の各処理を時系列的に実行する検査装置を管理する検査管理システムであって、前記所定検査が、検査ワークフローの実行を一時的に中断する中断処理を含む中断検査、又は検査ワークフローの実行において前記中断処理を含まない通常検査のいずれに該当するかを判定するための情報を含む検査情報を入力する入力手段と、入力された前記検査情報に基づいて、前記所定検査が前記中断検査又は前記通常検査のいずれに該当するかを示す検査形態を判定する判定手段と、検査形態、トリガイベント、トリガイベントが発生した場合に実行すべき処理を対応付けて定義する少なくとも一つのイベント処理ルールを記憶する記憶手段と、前記検査装置において発生するトリガイベントを受け付けるイベント受付手段と、記憶された前記イベント処理ルールに基づいて、受け付けられた前記トリガイベントと判定された前記検査形態とに対応する前記処理を、当該受け付けられた前記トリガイベントに応答して実行する実行手段と、を具備することを特徴とする検査管理システムである。
【発明の効果】
【００１１】
以上本発明によれば、操作者が検査中において中断、再開を意識する必要なく、また、検査後の結果参照において、中断前後の検査の関連性を意識する必要なしで好適な操作、結果参照が可能な検査管理システムを実現することができる。
【発明を実施するための最良の形態】
【００１２】
以下、本発明の実施形態に係る検査管理システムを図面に従って説明する。なお、以下の説明において、略同一の機能及び構成を有する構成要素については、同一符号を付し、重複説明は必要な場合にのみ行う。
【００１３】
図１は、病院内における本検査管理システム１の設置環境の一例を示した図である。同図に示すように、本検査管理システムは、超音波診断装置、核医学診断装置、その他の医用画像機器とネットワークを介して接続され使用されるか、医用画像機器に内蔵されて使用される。本実施形態においては、説明を具体的にするため、超音波診断装置に内蔵して使用する場合を例とする。
【００１４】
図２は、本実施形態に係る超音波診断装置のブロック構成図を示している。同図に示すように、本超音波診断装置は、超音波プローブ１２、入力装置１３、モニター１４、送受信ユニット２１、Ｂモード処理ユニット２２、ドプラ処理ユニット２３、画像生成回路２４、制御プロセッサ（ＣＰＵ）２５、記憶装置２６、検査管理部２８、インタフェース部３０を具備している。なお、検査管理システムは、例えば検査管理部２８、入力装置１３、モニター１４等からによって構成される。
【００１５】
超音波プローブ１２は、超音波送受信ユニット２１からの駆動信号に基づき超音波を発生し、被検体からの反射波を電気信号に変換する複数の圧電振動子、当該圧電振動子に設けられる整合層、当該圧電振動子から後方への超音波の伝播を防止するバッキング材等を有している。当該超音波プローブ  ２から被検体Ｐに超音波が送信されると、当該送信超音波は、体内組織の音響インピーダンスの不連続面で次々と反射され、エコー信号として超音波プローブ１２に受信される。このエコー信号の振幅は、反射することになった不連続面における音響インピーダンスの差に依存する。また、送信された超音波パルスが、移動している血流や心臓壁等の表面で反射された場合のエコーは、ドプラ効果により移動体の超音波送信方向の速度成分を依存して、周波数偏移を受ける。
【００１６】
入力装置１３は、装置本体１１に接続され、オペレータからの各種指示、条件、関心領域（ＲＯＩ）の設定指示、種々の画質条件設定指示等を装置本体１１にとりこむためのトラックボール１３ａ、各種スイッチ１３ｂ等を有している。特に、入力装置１３は、各種スイッチ１３ｂにおいて、現行の検査ワークフローを終了して次検査に移行するための指示を行う「次検査スイッチ」を有する。
【００１７】
モニター１４は、画像生成回路２４からのビデオ信号に基づいて、生体内の形態学的情報や、血流情報を画像として表示する。
【００１８】
送受信ユニット２１は、図示しないトリガ発生回路、遅延回路およびパルサ回路等を有している。パルサ回路では、所定のレート周波数ｆｒ  Ｈｚ（周期；１／ｆｒ秒）で、送信超音波を形成するためのレートパルスが繰り返し発生される。また、遅延回路では、チャンネル毎に超音波をビーム状に集束し且つ送信指向性を決定するのに必要な遅延時間が、各レートパルスに与えられる。トリガ発生回路は、このレートパルスに基づくタイミングで、プローブ１２に駆動パルスを印加する。
【００１９】
また、送受信ユニット２１は、図示していないアンプ回路、Ａ／Ｄ変換器、加算器等を有している。アンプ回路では、プローブ１２を介して取り込まれたエコー信号をチャンネル毎に増幅する。Ａ／Ｄ変換器では、増幅されたエコー信号に対し受信指向性を決定するのに必要な遅延時間を与え、その後加算器において加算処理を行う。この加算により、エコー信号の受信指向性に応じた方向からの反射成分が強調され、受信指向性と送信指向性とにより超音波送受信の総合的なビームが形成される。
【００２０】
Ｂモード処理ユニット２２は、送受信ユニット２１からエコー信号を受け取り、対数増幅、包絡線検波処理などを施し、信号強度が輝度の明るさで表現されるデータを生成する。このデータは、画像生成回路２４に送信され、反射波の強度を輝度にて表したＢモード画像としてモニター１４に表示される。
【００２１】
ドプラ処理ユニット２３は、送受信ユニット２１から受け取ったエコー信号から速度情報を周波数解析し、ドプラ効果による血流や組織、造影剤エコー成分を抽出し、平均速度、分散、パワー等の血流情報を多点について求める。得られた血流情報は画像生成回路２４に送られ、平均速度画像、分散画像、パワー画像、これらの組み合わせ画像としてモニター１４にカラー表示される。
【００２２】
画像生成回路２４は、超音波スキャンの走査線信号列を、テレビなどに代表される一般的なビデオフォーマットの走査線信号列に変換し、表示画像としての超音波診断画像を生成する。画像生成回路２４は、画像データを格納する記憶メモリを搭載しており、例えば診断の後に操作者が検査中に記録された画像を呼び出すことが可能となっている。なお、当該画像生成回路２４に入る以前のデータは、「生データ」と呼ばれることがある。
【００２３】
制御プロセッサ２５は、情報処理装置（計算機）としての機能を持ち、本超音波診断装置本体の動作を制御する制御手段である。制御プロセッサ２５は、内部記憶装置２９から後述する画像生成・表示等を実行するための制御プログラムを読み出して図示していないメモリ上に展開し、各種処理に関する演算・制御等を実行する
記憶装置２６は、スキャンシーケンス、画像生成、表示処理を実行するための制御プログラムや、診断情報（患者ＩＤ、医師の所見等）、診断プロトコル、送受信条件その他のデータ群が保管されている。また、必要に応じて、画像生成回路２４の画像の保管などにも使用される。記憶装置２６のデータは、インタフェース回路３０を経由して外部周辺装置へ転送することも可能となっている。
【００２４】
検査管理部２８は、所定のルールに従って、検査ワークフローに対して中断処理又は終了処理等を行うことにより、検査を管理する。ここで、検査ワークフローとは、当該超音波診断装置を用いた所定の検査において実行される複数の処理、及びその流れを示すものである。従って、当該検査においては、検査ワークフローに従って装置が動作することになる。また、中断処理とは、次検査に移行するため、検査ワークフローの実行を一時的に中断する処理であり、一方、終了処理とは、次検査に移行するため、検査ワークフローの実行を完全に終了する処理である。従って、中断処理された検査ワークフローについては、所定の操作を実行することにより、中断時と同様の設定により途中から検査を再開することが可能である。一方、終了処理された検査ワークフローについては、全ての処理が終了していることから、途中から当該検査ワークフローに含まれる処理を実行することはできない。この検査管理部２８の内部構成、及びこれによって実行される検査管理機能については、後で詳しく説明する。
【００２５】
インタフェース部３０は、入力装置１３、ネットワーク、新たな外部記憶装置（図示せず）に関するインタフェースである。当該装置によって得られた超音波画像等のデータや解析結果等は、インタフェース部３０よって、ネットワークを介して他の装置に転送可能である。
【００２６】
（検査管理部）
図３は、検査管理部２８の構成を示したブロック図である。同図に示すように、検査管理部２８は、検査情報受付部２８０、イベント処理ルール受付部２８１、検査データ記憶部２８２、イベント処理ルール記憶部２８３、イベント受付部２８４、イベント処理２８５を有している。
【００２７】
検査情報受付部２８０は、入力装置１３を介して入力された検査情報、又はＭＷＭ（Ｍｏｄａｌｉｔｙ  Ｗｏｒｋｌｉｓｔ  Ｍａｎａｇｅｍｅｎｔ：予約情報管理）システム、ＲＩＳ（Ｒａｇｉｏｌｏｇｙ  Ｉｎｆｏｒｍａｔｉｏｎ  Ｓｙｓｔｅｍ：放射線部門情報管理システム）、ＨＩＳ（Ｈｏｓｐｉｔａｌ  Ｉｎｆｏｒｍａｔｉｏｎ  Ｓｙｓｔｅｍ：病院情報システム）などの外部システム等によってネットワーク経由で入力された検査情報を受け付け、これと検査データ記憶部２８２内の検査形態テーブルとに基づいて、実行しようとする検査（すなわち、検査ワークフロー）が中断検査であるか通常検査であるかを判定する。判定結果は、検査形態として検査情報と対応付けられ、共に検査データ記憶部２８２に記憶される。ここで、検査情報とは、患者ＩＤ（受診者識別情報）、検査予約時間情報、患者情報（氏名、性別、年齢等）、検査目的、検査部位、検査手法その他当該検査が中断検査か通常検査か判別するための情報を含むものである。また、中断検査とは、少なくとも一つの中断処理を含む検査であり、通常検査とは、中断処理を含まない検査である。
【００２８】
イベント処理ルール受付部２８１は、例えば入力装置１３を介してイベント処理ルール（後述）の登録、変更等を受け付ける。当該イベント処理ルール受付部２８１によって受け付けられたイベント処理ルールは、イベント処理ルール記憶部２８３に自動的に記憶される。
【００２９】
検査データ記憶部２８２は、各検査情報（例えば、各検査目的、各検査部位）と中断検査又は通常検査とを対応付けた検査形態テーブルを記憶する。また、検査情報受付部２８０の判定に基づく各検査の検査形態を、その検査情報と対応付けて記憶する。
【００３０】
イベント処理ルール記憶部２８３は、イベント処理ルールを記憶する。ここで、イベント処理ルールとは、検査形態、トリガイベントの種類、トリガイベントが操作された場合に行う動作を検査毎に定義するものである。
【００３１】
図４は、イベント処理ルール記憶部２８３が記憶する、検査毎に定義されるイベント処理ルールの一例を示している。同図に示す例では、さらに検査ワークフローにおける次検査（又は次処理）の有無を示す検査ステータスを加えた例となっている。
【００３２】
イベント受付部２８４は、当該超音波診断装置において発生する各種イベントを、制御プロセッサ２５から受け付け、イベント処理部２８５に送り出す。
【００３３】
イベント処理２８５は、イベント受付部２８４から受け取った各種イベントとイベント処理ルールとに基づいて、検査ワークフローの管理を実行する。
【００３４】
（検査管理機能）
次に、本超音波診断装置１が有する、検査管理機能について説明する。この機能は、イベント処理ルールに基づいて、検査ワークフロー従って実行される各検査要素に対して中断処理又は終了処理を施すものである。以下、心臓に関するストレスエコー検査であって、午前に無負荷検査、午後に過負荷検査を実行する場合を例として説明する。
【００３５】
図５は、ストレスエコー検査における検査管理機能の処理の流れを示したフローチャートである。同図に示すように、まず、例えば「次検査」ボタンの操作によって当該検査が開始されると、外部システムに向けて当該開始を知らせるＭＰＰＳ（Ｍｏｄａｌｉｔｙ  Ｐｅｒｆｏｒｍｅｄ  Ｐｒｏｃｅｄｕｒｅ  Ｓｔｅｐ）送信が実行される（ステップＳ０）。検査情報受付部２８０は、当該検査開始と共に、検査情報を受け取る（ステップＳ１）。この検査情報の受付は、ＭＷＭ等の外部システムからから送信データを受信した時、入力装置１３から検査情報が登録された時、外部システムから受信あるいは装置入力画面から入力したデータを編集した時等に実行される。従って、例えば、本超音波診断装置に予め登録された検査情報に対して検査手法を選定したときにも、検査情報受付部で検査情報が受け付けられることになる。なお、本実施形態においては、ＭＷＭシステムを用いた検査情報の受け付けであるとする。
【００３６】
次に、受け取った検査情報に含まれる検査目的、検査部位と検査形態テーブルとに基づいて、当該検査を構成する各検査が「中断検査」であるか、又は「通常検査」であるかを判定する（ステップＳ２）。今の場合、検査目的がストレス検査、検査部位が心臓であることから、中断検査として判定される。
【００３７】
なお、本実施形態における当該判定は、検査情報に含まれる項目（すなわち、検査目的、検査部位）の組み合わせを基準とした。しかし、これに拘泥する趣旨ではなく、単一の項目を基準として判定する構成であってもよい。例えば、検査手法のみを基準とする場合には、検査手法が、「ストレスエコー」である場合には「中断検査」といった具合に判定を行えばよい。
【００３８】
次に、所定のタイミング、例えば当該患者についての無負荷検査が終了し、午前の次の患者に関する検査に移行するタイミングにおいて、イベント処理部２８５は、イベント受付部２８４を介して、次検査スイッチ操作に基づくイベント信号を受信する（ステップＳ３）。また、イベント処理部２８５は、イベント処理ルール記憶部２８３内のイベント処理ルールを参照し、当該検査ワークフローの管理・制御を実行する（ステップＳ４）。すなわち、イベント処理部２８５は、次検査スイッチ操作に基づくイベント信号を受け取ると、図４の第１段目のルールに従い検査形態として「中断検査」、検査ステータスとして「次検査あり」、イベント種類として「次検査」を条件に、当該検査ワークフローの中断処理を実行する。この中断処理により、検査データ記憶部２８２に、当該検査ワークフローにおいて設定されたデータ、及び当該検査ワークフローに従って取得されたデータ等が検査情報と関連付けられて自動的に記憶される。
【００３９】
なお、動作については、プログラムの処理分岐のためのコードであっても良いし、その処理を実行するためのプログラム名であっても良いが、特にそれらに限定されるわけではない。また、検査が中断された時には、検査再開時の利便性向上のために、例えば特願２００４−１８０９１７号に記載の手段により撮影状態や計測状態を記憶しておくことが望ましい。
【００４０】
次に、イベント処理部２８５は、中断処理が施された各検査ワークフローの一覧表（中断中リスト）を作成する（ステップＳ５）。このリストは、中断処理の実行をトリガとして逐次更新される。従って、操作者は、当該リストを見ることにより、現在中断中の検査ワークフローを確認することができる。
【００４１】
図６、図７は、それぞれ中断中リストの例を示した図である。図６の例は、検査管理に使用される患者検査リストに、検査の現在の状況を示す「ステータス」の項目を追加することで中断中である検査を示すものである。また、図６の例は、中断中の検査のみ抽出し一覧表示するものである。この様に、中断中リストは、現在中断中である検査を一覧表示するものであれば、どの様な形式であってもよい。
【００４２】
次に、イベント処理部２８５は、例えば同日の午後においてイベント受付部２８４を介して受け取った中断中リスト上での選択操作に応答して、中断状態にある検査ワークフローを「再開」する（ステップＳ６）。この再開処理は、図８に示すように、実施形態「中断検査」、「通常検査」のイベント種類「再開」に再開処理動作を関連付けたイベント処理ルールを作成し、これに従って制御することにより実現される。あるいは、イベント処理ルールにおける検査ステータスを利用することにより、通常の検査開始と同様に操作により、検査の再開を行えるようにしても良い。この場合、図６の第３行目、第４行目に示した様に、「中断中」のステータスを持つ、実施形態が中断検査、通常検査に対して、所定の操作又は処理に基づく開始イベントを受けた時に、再開処理を行うように当該装置の動作を制御する。これにより、利用者は中断中の検査であるか否かを意識することなく、通常の検査開始と同様の操作により、中断検査の再開を行うことが可能になる。
【００４３】
ステップＳ６での具体的な動作は、次のようである。すなわち、イベント受付部２８４により「再開」ボタン押下げイベントが受信されると、当該イベント受付部２８４では、イベント「再開」を抽出し、イベント処理部２８５に送信する。イベント処理部２８５では、現在中断中の検査の実施形態、検査ステータス、イベント種類、を元にイベント処理ルール記憶部２８３から取得し、再開処理を動作させる。このようにして、中断が予定されていた検査を中断したのか、或いは（後述するように）中断が予定されていない通常検査を中断したのかを考慮することなく、中断検査と同様に通常検査の再開処理を行わせることが可能とる。
【００４４】
なお、検査を再開する時には、検査再開時の利便性向上のために特願２００４−１８０９１７号に記載の手段により記憶された撮影状態や計測状態を復元することが望ましい。
【００４５】
次に、再開された検査が完了し、当該患者に関する検査の全てが終了すると、イベント処理部２８５において検査結果リストが作成され、モニター１４に所定の形態で表示される（ステップＳ７）。
【００４６】
図９は、検査結果リストの一例を示した図である。イベント処理部２８５は、当該検査ワークフローに対応して関連付けられた情報のうち、検査結果リストの作成に必要な情報を検査データ記憶部２８２から取得し、これを元に中断前後の検査を１つの検査として識別することにより、図９に示す検査結果リストを作成し表示する。この検査結果リストでは、中断前検査、中断後検査が同一のワークフローに従う検査として一項目で表示される（例えば、図９の患者名「ＡＡＡ」、「ＣＣＣ」の欄参照。）。従って、操作者は、中断前後の検査の関連性を特に注意する必要がなくなる。
【００４７】
検査結果リストが作成され表示された後、「次検査」ボタンの操作によって次検査に移行することで、当該検査に関する全ての処理を完全に終了する。イベント処理部２８５は、この当該検査の終了と共に、検査が終了したことを外部システムに知らせるために、ＭＰＰＳを送信する（ステップＳ８）。
【００４８】
すなわち、図１０に示すようにＭＰＰＳ送信に関するイベント処理ルールを定義することで、例えば同図二段目の検査について、検査結果リストが作成され表示された後の「次検査」ボタンの操作により、ＭＰＰＳ送信が実行される。
【００４９】
従来技術の場合、ＭＰＰＳの送信に際しては、中断毎にＭＰＰＳを送信してしまうか、毎回確認メッセージを表示してユーザに確認を求めることが想定される。しかしながら、本実施形態においては、イベント処理ルールを図１０に示すように定義することで、ＭＰＰＳ送信を当該検査に関する全ての処理を終了したタイミングで行うことができる。その結果、ＭＰＰＳ送信においても、無負荷検査と過負荷検査とを１つの検査として扱うことができ、また、操作者は、検査のたびに送信の必要可否を考慮する必要が無くなる。
【００５０】
以上述べた構成によれば、以下の効果を得ることができる。
【００５１】
本検査管理システムによれば、判定された検査形態と受信したトリガイベントとに対応するイベント処理ルールに従って、検査の中断処理又は終了処理の選択、外部システムへの状況送信等の動作を行うので、操作者は検査中において中断、再開を意識する必要なく、検査作業を行うことができる。特に、本システムでは、検査の終了処理を行う際には、従来は中断処理なのか、通常の終了処理なのかの人為的判断を必要としない。従って、操作者の作業負担を軽減させることができると共に、作業ミスの発生を防止することができる。
【００５２】
また、本検査管理システムによれば、イベント処理ルールに従って、時間的な中断を挟み、複数の項目に分けて実施される中断検査であっても、検査結果参照や検査表等において、一つの検査として管理することができる。従って、検査管理において、中断前後の検査の関連性を意識する必要がなく、管理者の作業負担を軽減させることができると共に、作業ミスの発生を防止することができる。
【００５３】
本検査管理システムによれば、イベント処理ルールに従って、検査の中断処理又は終了処理の選択等の動作を行う。従って、イベント処理ルールを工夫することで、その検査が中断検査又は通常検査のいずれであっても、同一の操作で（すなわち、従来の如く「中断ボタン」と「次検査ボタン」とを区別することなく、統一的に「次検査ボタン」の操作で）、検査の中断処理又は終了処理の選択、外部システムへの状況送信等を自動的に実行することができる。その結果、操作者の作業負担を軽減させることができると共に、作業ミスの発生を防止することができる。
【００５４】
なお、本発明は上記実施形態そのままに限定されるものではなく、実施段階ではその要旨を逸脱しない範囲で構成要素を変形して具体化できる。具体的な変形例としては、例えば次のようなものがある。
【００５５】
（１）本実施形態に係る検査管理システムは、当該システムを実行するプログラムをワークステーション等のコンピュータにインストールし、これらをメモリ上で展開することによっても実現することができる。このとき、コンピュータに当該手法を実行させることのできるプログラムは、磁気ディスク（フロッピー（登録商標）ディスク、ハードディスクなど）、光ディスク（ＣＤ−ＲＯＭ、ＤＶＤなど）、半導体メモリなどの記録媒体に格納して頒布することも可能である。
【００５６】
（２）上記各実施形態においては、検査情報に基づいて検査実施形態が「中断検査」と判定できる場合を例に説明した。しかし、本検査管理システムはこれに拘泥することなく、例えば中断が予定されていない通常検査についても、例えば「通常検査」のイベント種類「中断」に中断処理動作を関連付けるイベント処理ルールを定義することで実現できる。この場合の例としては、通常検査において突然患者の体調が悪くなった場合等が挙げられる。なお、係る場合に定義されるイベント処理ルールの一例を、図１１に示す。
【００５７】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００５８】
以上本発明によれば、操作者が検査中において中断、再開を意識する必要なく、また、検査後の結果参照において、中断前後の検査の関連性を意識する必要なしで好適な操作、結果参照が可能な検査管理システムを実現することができる。
【図面の簡単な説明】
【００５９】
【図１】図１は、病院内における本検査管理システム１の設置環境の一例を示した図である。
【図２】図２は、検査管理システム１の設置環境の一例を示した図である。
【図３】図３は、検査管理システム１のブロック構成図を示している。
【図４】図４は、イベント処理ルール記憶部２８３が記憶する、検査毎に定義されるイベント処理ルールの一例を示している。
【図５】図５は、ストレスエコー検査における検査管理機能の処理の流れを示したフローチャートである。
【図６】図６は中断中リストの一例であり、検査管理に使用される患者検査リストに、「ステータス」の項目を追加することで、中断中である検査を示すものである。
【図７】図７は、中断中リストの他の例であり、中断中の検査のみ抽出し一覧表示するものである。
【図８】図８は、再開処理において定義されるイベント処理ルールの一例を示した図である。
【図９】図９は、検査結果リストの一例を示した図である。
【図１０】図１０は、ＭＰＰＳ送信に関するイベント処理ルールの一例を示した図である。
【図１１】図１１は、通常検査において中断処理を実行する場合に定義されるイベント処理ルールの一例を示した図である。
【図１２】図１２は、医用画像機器を使用した通常検査又は中断検査における、従来の操作者の作業の流れ（ワークフロー）を示した図である。
【符号の説明】
【００６０】
１…検査管理システム、１２…超音波プローブ、１３…入力装置、１４…モニター、２１…送受信ユニット、２２…Ｂモード処理ユニット、２３…ドプラ処理ユニット、２４…画像生成回路２４…制御プロセッサ（ＣＰＵ）、２６…記憶装置、２８…検査管理部、３０…インタフェース部、２８０…検査情報受付部、２８１…イベント処理ルール受付部、２８２…検査データ記憶部、２８３…イベント処理ルール記憶部、２８４…イベント受付部、２８５…イベント処理
【図１】
2006167288.tif 000003
【図２】
2006167288.tif 000004
【図３】
2006167288.tif 000005
【図４】
2006167288.tif 000006
【図５】
2006167288.tif 000007
【図６】
2006167288.tif 000008
【図７】
2006167288.tif 000009
【図８】
2006167288.tif 000010
【図９】
2006167288.tif 000011
【図１０】
2006167288.tif 000012
【図１１】
2006167288.tif 000013
【図１２】
2006167288.tif 000014